(57)【特許請求の範囲】
【請求項１】
第１基板及び第２基板を提供し、前記第１基板の第１電極層に偏光感度材料を塗布して第１配向層を形成し、前記第２基板の第２電極層に偏光感度材料を塗布して第２配向層を形成するステップと、
前記第１配向層及び前記第２配向層をそれぞれ少なくとも１つの区画に分割し、各区画は複数の配向区を含み、前記第１配向層と前記第２配向層との互いに対応する配向区の予設定の配向方向を垂直とするステップと、
前記第１配向層及び前記第２配向層の各配向区に対してそれぞれ異なる方向の直線偏光の光線で照射して、各配向区に照射する前記直線偏光の偏光方向と前記配向方向とを相応させることで、前記第１配向層及び前記第２配向層にそれぞれ各配向区に対応する予設定の配向方向を有する配向膜を形成するステップとを含み、
前記各区画は垂直である２本の分割線（ｘ軸とｙ軸）によって４個の配向区に分割され、第３象限において液晶分子はｘ軸とａ角度を成し、第１象限において液晶分子はｘ軸と−ａ角度を成し、第２象限において液晶分子はｘ軸と（ａ−１８０）角度を成し、第４象限において液晶分子はｘ軸と（１８０−ａ）角度を成し、
前記各区画は互いに垂直である２本の分割線によって４個の配向区に分割され、前記４個の配向区のうち少なくとも２個の配向区の予設定の配向方向は互いに異なっていることを特徴とする液晶表示パネルの配向方法。
【請求項２】
前記第１基板はＴＦＴアレイ基板であり、前記第１電極層は画素電極層であり、前記第２基板はＣＦ基板であり、前記第２電極層は共通電極層であることを特徴とする請求項１に記載の液晶表示パネルの配向方法。
【請求項３】
前記直線偏光の光線が紫外線であることを特徴とする請求項１に記載の液晶表示パネルの配向方法。
【請求項４】
前記第１基板に偏光感度材料を塗布して第１配向層を形成する前に、前記ＴＦＴアレイ基板と前記ＣＦ基板との間、より具体的に前記第１基板の絶縁層と不活性化層との間にはカラーフィルタ層を形成するステップをさらに含むことを特徴とする請求項２に記載の液晶表示パネルの配向方法。
【請求項５】
第１電極層とこの第１電極層を覆う第１配向層とを有する第１基板と、
第２電極層とこの第２電極層を覆う第２配向層とを有する第２基板と、
前記第１基板の第１配向層と前記第２基板の第２配向層との間に配置されている液晶層と、を備える液晶表示装置であって、
前記第１配向層及び前記第２配向層は、それぞれ少なくとも１つの区画に分割され、各区画は複数の配向区に分割されており、前記第１配向層と前記第２配向層との互いに対応する配向区の予設定の配向方向は互いに垂直となっており、
前記第１配向層及び前記第２配向層の各配向区は、それぞれ異なる方向の直線偏光の光線によって照射されて、前記各配向区に照射される直線偏光の偏光方向と配向方向とが相応されることにより、前記第１配向層及び前記第２配向層にそれぞれ各配向区に対応する予設定の配向方向を有する配向膜が形成され、
前記各区画は垂直である２本の分割線（ｘ軸とｙ軸）によって４個の配向区に分割され、第３象限において液晶分子はｘ軸とａ角度を成し、第１象限において液晶分子はｘ軸と−ａ角度を成し、第２象限において液晶分子はｘ軸と（ａ−１８０）角度を成し、第４象限において液晶分子はｘ軸と（１８０−ａ）角度を成し、
前記各区画は互いに垂直である２本の分割線によって４個の配向区に分割され、前記４個の配向区のうち少なくとも２個の配向区の予設定の配向方向は互いに異なっていることを特徴とする液晶表示装置。
【請求項６】
前記第１基板はＴＦＴアレイ基板であり、前記第１電極層は画素電極層であり、前記第２基板はＣＦ基板であり、前記第２電極層は共通電極層であることを特徴とする請求項５に記載の液晶表示装置。
【請求項７】
前記ＴＦＴアレイ基板と前記ＣＦ基板との間、より具体的に前記第１基板の絶縁層と不活性化層との間にはカラーフィルタ層が形成されていることを特徴とする請求項６に記載の液晶表示装置。
【請求項８】
前記第２基板は、
ガラス基板と、
前記ガラス基板の所定の位置に設けられているブラックマトリクスと、
前記ガラス基板及び前記ブラックマトリクスを覆うか或いは前記ガラス基板及び前記ブラックマトリクスの対向側に設けられる共通電極層と、を備え、
前記第２配向層は、前記共通電極層に設けられていることを特徴とする請求項７に記載の液晶表示装置。
【請求項９】
ブラックマトリクスは前記第１基板に設けられていることを特徴とする請求項６に記載の液晶表示装置。
【請求項１０】
直線偏光の光線は紫外線であることを特徴とする請求項９に記載の液晶表示装置。
【請求項１１】
第１電極層とこの第１電極層を覆う第１配向層とを有する第１基板と、
第２電極層とこの第２電極層を覆う第２配向層とを有する第２基板と、
前記第１基板の第１配向層と前記第２基板の第２配向層との間に配置されている液晶層と、を備える液晶表示装置であって、
前記第１配向層及び前記第２配向層は、それぞれ少なくとも１つの区画に分割され、各区画は複数の配向区に分割されており、前記第１配向層と前記第２配向層との互いに対応する配向区の予設定の配向方向は互いに垂直となっており、
前記第１配向層及び前記第２配向層の各配向区は、それぞれ異なる方向の直線偏光の光線によって照射されて、前記各配向区に照射される直線偏光の偏光方向と配向方向とが相応されることにより、前記第１配向層及び前記第２配向層にそれぞれ各配向区に対応する予設定の配向方向を有する配向膜が形成され、
前記各区画は、互いに垂直である２本の分割線によって４個の配向区に分割され、前記４個の配向区のうち少なくとも２個の配向区の予設定の配向方向が互いに異なっており、
前記各区画は垂直である２本の分割線（ｘ軸とｙ軸）によって４個の配向区に分割され、第３象限において液晶分子はｘ軸とａ角度を成し、第１象限において液晶分子はｘ軸と−ａ角度を成し、第２象限において液晶分子はｘ軸と（ａ−１８０）角度を成し、第４象限において液晶分子はｘ軸と（１８０−ａ）角度を成すことを特徴とする液晶表示装置。
【請求項１２】
前記第１基板はＴＦＴアレイ基板であり、前記第１電極層は画素電極層であり、前記第２基板はＣＦ基板であり、前記第２電極層は共通電極層であることを特徴とする請求項１１に記載の液晶表示装置。
【請求項１３】
前記ＴＦＴアレイ基板と前記ＣＦ基板との間、より具体的に前記第１基板の絶縁層と不活性化層との間にはカラーフィルタ層が形成されていることを特徴とする請求項１２に記載の液晶表示装置。
【請求項１４】
前記第２基板は、
ガラス基板と、
前記ガラス基板の所定の位置に設けられているブラックマトリクスと、
前記ガラス基板及び前記ブラックマトリクスを覆うか或いは前記ガラス基板及び前記ブラックマトリクスの対向側に設けられる共通電極層と、を備え、
前記第２配向層は、前記共通電極層に設けられていることを特徴とする請求項１３に記載の液晶表示装置。
【請求項１５】
ブラックマトリクスは前記第１基板に設けられていることを特徴とする請求項１２に記載の液晶表示装置。
【請求項１６】
直線偏光の光線は紫外線であることを特徴とする請求項１５に記載の液晶表示装置。
【発明の詳細な説明】
【技術分野】
【０００１】
本発明は、薄膜トランジスタ液晶表示装置（Thin  Film  Transistor  liquid  crystal  display、ＴＦＴ‐ＬＣＤ）の製造分野に関し、特に液晶表示パネルの配向方法及び対応する液晶表示装置に関するものである。
【背景技術】
【０００２】
図１は、従来のＰＳＶＡ方式（高分子安定化垂直配列、Polymer  Stabilization  Vertical‐Alignment）の液晶表示装置によく用いられる画素電極を示す図であり、図面では１つの画素電極を示している。従来のこのようなＰＳＶＡ方式の液晶表示装置において、画素電極は、「米」字状に設計され、中間の垂直幹線８０、水平幹線８１と、ｘ軸と±４５度、±１３５度を成す分岐線８２とによって構成される。画素面積は、垂直幹線８０と水平幹線８１とによって４個の領域に等分され、各領域は、４５度斜め方向の分岐線８２が布設されて構成される。
【０００３】
図２は、図１の画素電極に電圧を印加後の液晶の倒れる向きを示す図であり、図２に示したように、図１の画素電極に４Ｖの電圧を印加すると液晶分子９０は画素電極の外側から漸次内側へ倒れる。倒れる角度はスリット方向（即ち、分岐線８２の延伸方向、図面に示したような矢印方向）に沿い、４個の領域における液晶の倒れる向きは、±４５度、±１３５度であり、全て画素の中央領域に向く。液晶の倒れる向きとｘ軸とが成す角度は、上記の図面に示したように、第一象限では−１３５度であり、第二象限では−４５度であり、第三象限では４５度であり、第四象限では１３５度である。従来のＰＳＶＡ製造では、画素電極を「米」字状に設計することにより、液晶分子の配向を制御して広視野角での色かぶり（colour  cast）の問題を改善している。
【０００４】
しかし、従来のこのような方式は電極の設計に大きく依頼し、表示領域に鮮明な明暗縞が発生することにより、光線の透過率が低下されて表示の効果及び輝度に影響を与える。
【発明の概要】
【発明が解決しようとする課題】
【０００５】
本発明の技術的課題としては、配向効果が良好でかつ広視野角での色かぶりを改善することができる液晶表示パネルの配向方法及び対応する液晶表示装置を提供するのである。
【課題を解決するための手段】
【０００６】
上述した問題を解決するために、本発明は、第１基板及び第２基板を提供し、第１基板の第１電極層に偏光感度材料を塗布して第１配向層を形成し、第２基板の第２電極層に偏光感度材料を塗布して第２配向層を形成するステップと、第１配向層及び第２配向層をそれぞれ少なくとも１つの区画に分割し、各区画は複数の配向区を含み、第１配向層と第２配向層との互いに対応する配向区の予設定の配向方向を垂直とするステップと、第１配向層及び第２配向層の各配向区に対してそれぞれ異なる方向の直線偏光の光線で照射して、各配向区に照射する直線偏光の偏光方向と配向方向とを相応させることで、第１配向層及び第２配向層にそれぞれ各配向区に対応する予設定の配向方向を有する配向膜を形成するステップと、を含む液晶表示パネルの配向方法を提供する。
【０００７】
また、第１基板はＴＦＴアレイ基板であり、第１電極層は画素電極層であり、第２基板はＣＦ基板であり、第２電極層は共通電極層である。
【０００８】
また、各区画は、互いに垂直である２本の分割線によって４個の配向区に分割され、４個の配向区のうち少なくとも２個の配向区の予設定の配向方向が互いに異なる。
【０００９】
また、直線偏光の光線は紫外線である。
【００１０】
また、第１基板に偏光感度材料を塗布して第１配向層を形成する前に、第１基板の絶縁層と不活性化層との間にカラーフィルタ層を形成するステップをさらに含む。
【００１１】
上述した問題を解決するために、本発明は、第１電極層とこの第１電極層を覆う第１配向層とを有する第１基板と、第２電極層とこの第２電極層を覆う第２配向層とを有する第２基板と、第１基板の第１配向層と第２基板の第２配向層との間に配置されている液晶層と、を備える液晶表示装置をさらに提供する。第１配向層及び前記第２配向層は、それぞれ少なくとも１つの区画に分割され、各区画は複数の配向区に分割されており、第１配向層と第２配向層との互いに対応する配向区の予設定の配向方向は互いに垂直となっており、第１配向層及び第２配向層の各配向区は、それぞれ異なる方向の直線偏光の光線によって照射されて、各配向区に照射される直線偏光の偏光方向と配向方向とが相応されることにより、第１配向層及び第２配向層にそれぞれ各配向区に対応する予設定の配向方向を有する配向膜が形成される。
【００１２】
また、各区画は、互いに垂直である２本の分割線によって４個の配向区に分割され、４個の配向区のうち少なくとも２個の配向区の予設定の配向方向が互いに異なる。
【００１３】
また、第１基板はＴＦＴアレイ基板であり、第１電極層は画素電極層であり、第２基板はＣＦ基板であり、第２電極層は共通電極層である。
【００１４】
また、第１基板の絶縁層と不活性化層との間に、カラーフィルタ層が形成されている。
【００１５】
また、第２基板は、ガラス基板と、ガラス基板の縁位置に設けられているブラックマトリクスと、ガラス基板及びブラックマトリクスを覆う共通電極層と、を備え、第２配向層は、共通電極層に設けられている。
【００１６】
また、ブラックマトリクスは、第１基板に設けられている。
【００１７】
また、直線偏光の光線は紫外線である。
【００１８】
上述した問題を解決するために、本発明は、第１電極層とこの第１電極層を覆う第１配向層とを有する第１基板と、第２電極層とこの第２電極層を覆う第２配向層とを有する第２基板と、第１基板の第１配向層と第２基板の第２配向層との間に配置されている液晶層と、を備える液晶表示装置をさらに提供する。第１配向層及び前記第２配向層は、それぞれ少なくとも１つの区画に分割され、各区画は複数の配向区に分割されており、第１配向層と第２配向層との互いに対応する配向区の予設定の配向方向は互いに垂直となっており、第１配向層及び第２配向層の各配向区は、それぞれ異なる方向の直線偏光の光線によって照射されて、各配向区に照射される直線偏光の偏光方向と配向方向とが相応されることにより、第１配向層及び第２配向層にそれぞれ各配向区に対応する予設定の配向方向を有する配向膜が形成され、各区画は、互いに垂直である２本の分割線によって４個の配向区に分割され、４個の配向区のうち少なくとも２個の配向区の予設定の配向方向が互いに異なる。
【００１９】
また、第１基板はＴＦＴアレイ基板であり、第１電極層は画素電極層であり、第２基板はＣＦ基板であり、第２電極層は共通電極層である。
【００２０】
また、第１基板の絶縁層と不活性化層との間に、カラーフィルタ層が形成されている。
【００２１】
また、第２基板は、ガラス基板と、ガラス基板の縁位置に設けられているブラックマトリクスと、ガラス基板及びブラックマトリクスを覆う共通電極層と、を備え、第２配向層は、共通電極層に設けられている。
【００２２】
また、ブラックマトリクスは、第１基板に設けられている。
【００２３】
また、直線偏光の光線は紫外線である。
【発明の効果】
【００２４】
本発明は、以下のような効果を得ることができる。
第一に、本発明の実施例において、それぞれ異なる方向の直線偏光の光線で第１基板の第１配向層及び第２基板の第２配向層を照射することにより、特定の配向方向の配向層を形成するので、画素電極に対する特別な設計は必要なく、これにより、従来技術における画素電極による明暗縞の発生を防止して、光線の透過率を向上させることができる。
第二に、本発明の実施例において、第１配向層の各区画における配向区の予設定の配向方向と第２配向層の各区画における配向区の予設定の配向方向とを融通的に設定可能なので、液晶セルの各画素構造における４個の領域の配向を融通的に実現するとともに、広視野角での色かぶりを改善させることができる。
第三に、本発明の実施例において、カラーフィルタ層をＴＦＴアレイ基板に設けることにより、液晶セル（液晶層）の上下表面の平坦化を実現して液晶の配向効果を向上させることができる。
【図面の簡単な説明】
【００２５】
本発明に係る実施例や従来技術における技術事項をより明確に説明するために、実施例や従来技術の説明に必要な図面に対して簡単に紹介する。また、下記の説明における図面は、本発明の実施例を説明するためのものにすぎず、当業者であれば、下記の図面に基づいて別の図面を容易に導出することは自明である。
【図１】従来のＰＳＶＡ方式の液晶表示装置の画素電極を示す図である。
【図２】図１の画素電極に電圧を印加後の液晶の倒れる向きを示す図である。
【図３】本発明の液晶表示パネルの配向方法の一例のフローチャートである。
【図４】本発明の液晶表示パネルの配向方法の実施例１における第１基板の区画を示す図である。
【図５】本発明の液晶表示パネルの配向方法の実施例１における第２基板の区画を示す図である。
【図６】本発明の液晶表示パネルの配向方法の実施例１における第２基板に直線偏光の光線を照射することを示す図である。
【図７】本発明の液晶表示パネルの配向方法の実施例１における液晶配向の結果を示す図である。
【図８】本発明の液晶表示パネルの配向方法の実施例２における第１基板の区画を示す図である。
【図９】本発明の液晶表示パネルの配向方法の実施例２における第２基板の区画を示す図である。
【図１０】本発明の液晶表示パネルの配向方法の実施例２における液晶配向の結果を示す図である。
【図１１】本発明の液晶表示パネルの配向方法の実施例３における第１基板の区画を示す図である。
【図１２】本発明の液晶表示パネルの配向方法の実施例３における第２基板の区画を示す図である。
【図１３】本発明の液晶表示パネルの配向方法の実施例３における液晶配向の結果を示す図である。
【図１４】本発明の液晶表示装置の１つの実施例における画素構造を示す図である。
【図１５】本発明の液晶表示装置の一例における図１４のＡ‐Ａ線に沿う断面図である。
【図１６】本発明の液晶表示装置の別の実施例の断面図である。
【図１７】本発明の液晶表示装置のもう別の実施例の断面図である。
【図１８】本発明の液晶表示装置のさらに別の実施例の断面図である。
【発明を実施するための形態】
【００２６】
以下、図面を参照しながら各実施例を説明することで、本発明が特定の実施例に適用されることを説明する。本発明における方向性の用語、例えば、「上」、「下」、「前」、「後」、「左」、「右」、「内」、「外」や「側面」などは、図面での参照用の方向である。従って、使用された用語は、本発明を説明及び理解するためのものであり、本発明を限定するための用語ではない。
【００２７】
本発明の液晶表示パネルの配向方法の一例のフローチャートである。本実施例では、この配向方法は、以下のようなステップを備える。
【００２８】
ステップＳ３０では、第１基板及び第２基板を提供し、第１基板の第１電極層に偏光感度材料を塗布して第１配向層を形成し、第２基板の第２電極層に偏光感度材料を塗布して第２配向層を形成する。
【００２９】
ステップＳ３１では、第１配向層及び第２配向層をそれぞれ少なくとも１つの区画に分割し、各区画は複数の配向区を含み、第１配向層と第２配向層との互いに対応する配向区の予設定の配向方向を互いに垂直とする。
【００３０】
ステップＳ３２では、第１配向層及び第２配向層の各配向区に対してそれぞれ異なる方向の直線偏光の光線で照射して、各配向区に照射する直線偏光の偏光方向と配向方向とを相応させることで、第１配向層及び第２配向層にそれぞれ各配向区に対応する予設定の配向方向を有する配向膜を形成する。
【００３１】
ステップＳ３３では、第１基板における第１電極層及び第２基板における第２電極層への通電によって液晶セル中の液晶分子の配向を完成する。
【００３２】
以下、具体的な実施例を参照しながら上記の各ステップについてより詳細に説明する。
【００３３】
図４から図７は、本発明の実施例１を示す。本実施例では、図４に示したように、第１基板１の第１配向層を複数の区画１０に分割し、各区画１０は複数の配向区１００を含む。図４において、各区画１０は、互いに垂直である２本の分割線によって４個の配向区１００に分割されている（図面には、１個の区画１０を４個の配向区１００に分割したことのみを示すが、これは例示にすぎない）。各配向区１００には、１つの配向方向（図面での矢印方向）が予設定されている。１個の区画１０において少なくとも２個の配向区１００の予設定の配向方向は互いに異なる。即ち、左側の２個の配向区１００の予設定の配向方向は上に向き、右側の２個の配向区１００の予設定の配向方向は下に向く。
【００３４】
同様に、図５に示したように、第２基板２の第２配向層を複数の区画２０に分割し、各区画２０は複数の配向区２００を含む。図５において、各区画２０は、互いに垂直である２本の分割線によって４個の配向区２００に分割されている。各配向区２００には、１つの配向方向（図面での矢印方向）が予設定されている。１個の区画２０において少なくとも２個の配向区１００の予設定の配向方向は互いに異なる。即ち、上側の２個の配向区２００の予設定の配向方向は右に向き、下側の２個の配向区２００の予設定の配向方向は左に向く。
【００３５】
第１配向層の各配向区１００と第２配向層の対応する各配向区２００との予設定の配向方向は、互いに垂直となる。
【００３６】
図６は、直線偏光の光線で基板を照射することを示す図である。この直線偏光の光線としては紫外線（ＵＶ）を採用し、図６には、紫外線で図５の第２基板２の第２配向層における１個の区画２０の下側の配向区２００を照射する状況が示されている。図６における矢印方向は直線偏光の光線の照射方向であり、その矢印上の黒色横線は直線偏光の光線の偏光方向である。本実施例では、直線偏光の光線の偏光方向と第２配向層の区画２０における下側の配向区２００の予設定の配向方向とを相応させる（例えば、同じにする）ことを確保する必要があり、直線偏光の光線で照射することで、この配向区２００に予設定の配向方向を有する配向膜を形成する。
【００３７】
同様に、別の異なる方向の直線偏光の光線で第２配向層の各区画２０における他の配向区２００に対して照射して、第２配向層に予設定の配向方向を有する配向膜を形成する。また、第１配向層の各区画１０における各配向区１００に対しても直線偏光の光線で照射して、第１配向層に予設定の配向方向を有する配向膜を形成する。
【００３８】
図７は、本発明の液晶表示パネルの配向方法の実施例１における液晶配向の結果を示す図である。配向膜を形成した後、ステップＳ３３にて第１基板の第１電極層及び第２基板の第２電極層への通電によって液晶セル中の液晶分子の配向を完成させる。第１配向層における各配向区１００と対応する第２配向層における各配向区２００との予設定の配向方向が垂直でるので、第１配向層と第２配向層との作用で液晶セルにおける対応する各配向区の液晶分子に倒れる向きを発生させて配向を完成する。図７には、図４と図５とにおける１つの区画に対応する液晶分子の配向が示されている。その結果、第３象限では液晶分子がｘ軸とａ角度を成し、第１象限では液晶分子がｘ軸と−ａ角度を成し、第２象限では液晶分子がｘ軸と（ａ−１８０）角度を成し、第４象限では液晶分子がｘ軸と（１８０−ａ）角度を成すことにより、広視野角での色かぶりを改善することができる。他の区画における液晶分子の配向はこれと類似している。
【００３９】
図８から図１０は、本発明の実施例２を示す。本実施例では、第１基板１の第１配向層の１個の区画１０において、上側の２個の配向区１００の予設定の配向方向は下に向き、下側の２個の配向区１００の予設定の配向方向は上に向くとともに、第２基板２の第２配向層の１個の区画２０において、右側の２個の配向区２００の予設定の配向方向は左に向き、左側の２個の配向区２００の予設定の配向方向は右に向く。その結果、液晶表示装置の対応する領域の液晶分子の配向が完成した後には、全て中心位置に向き（図１０参照）、第１象限では液晶分子がｘ軸とｃ角度を成す。
【００４０】
図１１から図１３は、本発明の実施例３を示す。本実施例では、第１基板１の第１配向層の１個の区画１０において、右側の２個の配向区１００の予設定の配向方向は右に向き、左側の２個の配向区１００の予設定の配向方向は左に向くとともに、第２基板２の第２配向層の１個の区画２０において、上側の２個の配向区２００の予設定の配向方向は上に向き、下側の２個の配向区２００の予設定の配向方向は下に向く。その結果、液晶表示装置の対応する領域の液晶分子の配向が完成した後には、全て中心位置から離れており（図１３参照）、第１象限では液晶分子がｘ軸とｂ角度を成す。
【００４１】
上述した３つの実施例は例示にすぎず、本発明の他の実施例では、第１配向層の各区画における各配向区の予設定の配向方向は要求によって調整することができ、同様に、それに対応する第２配向層における各配向区の予設定の配向方向も適宜変更することができる。
【００４２】
また、本実施例では、第１基板はＴＦＴアレイ基板であり、第１電極層は画素電極層であり、第２基板はカラーフィルタ（ＣＦ）基板であり、第２電極層は共通電極層である。また、配向層の各区画の大きさを、ＴＦＴアレイ基板の１つの画素構造の大きさ及び位置と対応させることができる。
【００４３】
また、本発明の配向方法において、第１基板に偏光感度材料を塗布して第１配向層を形成する前に、第１基板の絶縁層と不活性化層との間にカラーフィルタ層を形成するステップをさらに含むことができる。本発明は、カラーフィルタ層をＴＦＴアレイ基板に設けることにより、液晶セルの上下表面の平坦化処理が可能になって、ステップＳ３３でより良好な配向効果を得ることができる。
【００４４】
本発明は、液晶表示装置をさらに提供する。図１４及び図１５は、本発明の液晶表示装置の１つの実施例を示す。
【００４５】
本実施例では、この液晶表示装置は、第１電極層１５とこの第１電極層１５を覆う第１配向層１９とを有する第１基板１と、第２電極層２４とこの第２電極層２４を覆う第２配向層２９とを有する第２基板２と、第１基板１の第１配向層１９と第２基板２の第２配向層２９との間に配置され、かつ液晶分子（図示せず）及びスペーサー３０を有する液晶層３と、を備える。
【００４６】
第１配向層１９及び第２配向層２９は、それぞれ少なくとも１つの区画に分割され、各区画は複数の配向区に分割されており、第１配向層１９と第２配向層２９との互いに対応する配向区の予設定の配向方向は互いに垂直となっている。詳細は、図４及び図５に対する説明を参照することができる。
【００４７】
第１配向層１９及び第２配向層１９の各配向区は、それぞれ異なる方向の直線偏光の光線によって照射されて、各配向区に照射される直線偏光の偏光方向と配向方向とが相応されることにより、第１配向層１９及び第２配向層２９にそれぞれ各配向区に対応する予設定の配向方向を有する配向膜が形成されている。
【００４８】
第１基板１における第１電極層１９及び第２基板２における第２電極層２９への通電によって液晶セル中の液晶分子の配向が完成される。
【００４９】
各区画は、互いに垂直である２本の分割線によって４個の配向区に分割され、４個の配向区のうち少なくとも２個の配向区の予設定の配向方向が互いに異なる。
【００５０】
また、第１基板１はＴＦＴアレイ基板であり、第１電極層１５は画素電極層であり、第２基板２はＣＦ基板であり、第２電極層２４は共通電極層である。
【００５１】
この第１基板１は、ガラス基板１１と、このガラス基板１１に設けられているゲート線１３及び共通電極１４とをさらに備える。その上には絶縁層１６が覆われており、ゲート線１３の真上方の絶縁層１６には半導体層１７がさらに設けられており、半導体層１７にはドレイン電極及びソース電極を形成するデータ線１２が設けられており、その上には１層の不活性化層１８０が設けられており、不活性化層１８０には画素電極１５が形成されており、第１配向層１９は、画素電極１５に設けられている。
【００５２】
液晶セル（液晶層）の上下表面の平坦化を図るためには、第１基板１（ＴＦＴアレイ基板）の絶縁層１６と不活性化層１８０との間にカラーフィルタ層１８を形成する必要がある。
【００５３】
第２基板２は、ガラス基板２１と、ガラス基板２１の縁位置に設けられているブラックマトリクス（BLACK  MATRIX）２２と、ガラス基板２１及びブラックマトリクス２２を覆う共通電極層２４とを備え、第２配向層２９は、共通電極層２４に設けられている。
【００５４】
このブラックマトリクス２２は、第１基板１（ＴＦＴアレイ基板）と第２基板２（ＣＦ基板）とのずれを起因とする開口率の低下を防止するために設けるものである。また、別の実施例では、ブラックマトリクス２２は、第１基板１に設けられることができる。
【００５５】
図１６は、本発明の液晶表示装置の別の実施例の断面図である。本実施例において、図１４及び図１５に示した実施例との相違は、ブラックマトリクス２２が第１基板１の不活性化層１８に設けられ、第２基板２にはブラックマトリクス２２が設けられていないもの以外の構成は、図１５に示した実施例と同じであるので、図１５を併せて参照すれば理解できてその説明は省略する。
【００５６】
図１７は、本発明の液晶表示装置のもう別の実施例の断面図である。本実施例において、図１４及び図１５に示した実施例との相違は、ブラックマトリクス２２が第１基板１のガラス基板１１に設けられるとともにゲート線１３の下方に設けられ、第２基板２にはブラックマトリクス２２が設けられていないもの以外の構成は、図１５に示した実施例と同じであるので、図１５を併せて参照すれば理解できてその説明は省略する。
【００５７】
図１８は、本発明の液晶表示装置のさらに別の実施例の断面図である。本実施例において、図１４及び図１５に示した実施例との相違は、ブラックマトリクス２２が第１基板１のガラス基板１１に設けられるとともにゲート線１３の両側に設けられ、第２基板２にはブラックマトリクス２２が設けられていないもの以外の構成は、図１５に示した実施例と同じであるので、図１５を併せて参照すれば理解できてその説明は省略する。
【００５８】
また、その他の実施例では、要求により、ブラックマトリクス２２を第１基板１の他の位置に設けることもできる。例えば、ブラックマトリクス２２を第１基板１のカラーフィルタ１８とデータ線１２との間に設けることができる。または、第１基板１と第２基板２とに共にブラックマトリクス２２を設けることができ、その設ける位置は上述の説明を参照可能であり、同等の効果を得ることができるので、その説明は省略する。
【００５９】
本発明は、以下のような効果を得ることができる。
第一に、本発明の実施例において、それぞれ異なる方向の直線偏光の光線で第１基板の第１配向層及び第２基板の第２配向層を照射することにより、特定の配向方向の配向層を形成するので、画素電極に対する特別な設計は必要なく、これにより、従来技術における画素電極による明暗縞の発生を防止して、光線の透過率を向上させることができる。
第二に、本発明の実施例において、第１配向層の各区画における配向区の予設定の配向方向と第２配向層の各区画における配向区の予設定の配向方向とを融通的に設定可能なので、液晶セルの各画素構造における４個の領域の配向を融通的に実現するとともに、広視野角での色かぶりを改善させることができる。
第三に、本発明の実施例において、カラーフィルタ層をＴＦＴアレイ基板に設けることにより、液晶セル（液晶層）の上下表面の平坦化を実現して液晶の配向効果を向上させることができる。
【００６０】
上述した内容は本発明の最適な実施例にすぎず、本発明の権利範囲を限定することではない。この発明の要旨を逸脱しない範囲での設計の変更等があってもこの発明に含まれることは勿論である。
【００６１】
本願は、２０１３年１２月３１日に中国専利局（中国特許庁）に出願された、出願番号が２０１３１０７４８０４８．６であり、発明の名称が「液晶表示パネルの配向方法及び対応する液晶表示装置」である出願に基づく優先権を主張し、その全ての開示は完全に本明細書で参照により組み込まれる。
【図１】
0006386081.tif 000002
【図２】
0006386081.tif 000003
【図３】
0006386081.tif 000004
【図４】
0006386081.tif 000005
【図５】
0006386081.tif 000006
【図６】
0006386081.tif 000007
【図７】
0006386081.tif 000008
【図８】
0006386081.tif 000009
【図９】
0006386081.tif 000010
【図１０】
0006386081.tif 000011
【図１１】
0006386081.tif 000012
【図１２】
0006386081.tif 000013
【図１３】
0006386081.tif 000014
【図１４】
0006386081.tif 000015
【図１５】
0006386081.tif 000016
【図１６】
0006386081.tif 000017
【図１７】
0006386081.tif 000018
【図１８】
0006386081.tif 000019